(57)【要約】  【構成】  メモリカード４８に格納されたＪＰＥＧファイルを再生するためのビューワ操作が行われると、ＪＰＥＧファイルの再生動作を制御するスクリプトファイルがメモリカード４８に格納されているか否かが、ＣＰＵ３４によって判別される。ＣＰＵ３４は、この判別結果が否定的であるとき、メモリカード４８に格納されたＪＰＥＧファイルを操作者の選択操作および更新操作に従う態様で再生する。ＣＰＵ３４はまた、判別結果が肯定的であるとき、メモリカード４８に格納されたＪＰＥＧファイルをメモリカード４８に格納されたスクリプトファイルの記述に従う態様で再生する。  【効果】  スクリプトファイルをメモリカードに準備することで、展示会などで商品を説明する説明者は、ファイル再生のための煩わしい操作から解放される。【選択図】  図１
2007060335.tif 000002
【特許請求の範囲】
【請求項１】
外部記録媒体に格納されたコンテンツを再生するための特定操作が行われたとき再生制御情報が前記外部記録媒体に格納されているか否かを判別する判別手段、
前記判別手段の判別結果が否定的であるとき前記外部記録媒体に格納されたコンテンツを手動操作に従う態様で再生する第１再生手段、および
前記判別手段の判別結果が肯定的であるとき前記外部記録媒体に格納されたコンテンツを前記外部記録媒体に格納された再生制御情報に従う態様で再生する第２再生手段を備える、コンテンツ再生装置。
【請求項２】
前記外部記録媒体に格納された再生制御情報は複数の制御パターンを有し、
前記第２再生手段は前記複数の制御パターンのいずれか１つに従う再生動作を行う、請求項１記載のコンテンツ再生装置。
【請求項３】
前記外部記録媒体に格納されたコンテンツは前記複数の制御パターンの各々に対応する複数の映像コンテンツを含む、請求項２記載のコンテンツ再生装置。
【請求項４】
前記複数の制御パターンは複数のデモンストレーションメニューにそれぞれ対応する、請求項２または３記載のコンテンツ再生装置。
【請求項５】
制御パターン変更操作を受け付ける受付手段をさらに備え、
前記第２再生手段は前記制御パターン変更操作に従う制御パターンに注目する、請求項２ないし４のいずれかに記載のコンテンツ再生装置。
【請求項６】
コンテンツ再生装置のプロセサに、
外部記録媒体に格納されたコンテンツを再生するための特定操作が行われたとき再生制御情報が前記外部記録媒体に格納されているか否かを判別する判別ステップ、
前記判別ステップの判別結果が否定的であるとき前記外部記録媒体に格納されたコンテンツを手動操作に従う態様で再生する第１再生ステップ、および
前記判別ステップの判別結果が肯定的であるとき前記外部記録媒体に格納されたコンテンツを前記外部記録媒体に格納された再生制御情報に従う態様で再生する第２再生ステップを実行させるための、コンテンツ再生プログラム。
【発明の詳細な説明】
【技術分野】
【０００１】
この発明は、コンテンツ再生装置に関し、特にたとえば外部記録媒体に格納されたコンテンツを再生する、コンテンツ再生装置に関する。
【背景技術】
【０００２】
従来のこの種の装置の一例が、特許文献１に開示されている。この従来技術によれば、スライドショー再生が選択されると、記録媒体に格納された静止画ファイル，音声付静止画ファイルなどが、所定のインターバルで順次再生される。静止画ファイルは５秒毎に更新され、音声付静止画ファイルは付属の音声の再生が完了する毎に更新される。
【特許文献１】特開２００５−５１７０６号公報［H04N 5/93, H04R 3/00］
【発明の開示】
【発明が解決しようとする課題】
【０００３】
商品説明用に準備された複数の画像をＴＶモニタのような大画面で再生し、商品展示会などで商品を説明することを想定した場合、再生画像の手動更新は、説明者に煩わしい操作を求めることになる。一方、従来技術のような再生画像の自動更新は、説明者を煩わしい操作から開放するものの、再生画像の更新タイミングが基本的に再生装置の設定に従うことから説明者の混乱を引き起こす可能性がある。
【０００４】
それゆえに、この発明の主たる目的は、商品の説明者の利便性に優れた、コンテンツ再生装置を提供することである。
【課題を解決するための手段】
【０００５】
請求項１の発明に従うコンテンツ再生装置(10)は、外部記録媒体(48)に格納されたコンテンツを再生するための特定操作が行われたとき再生制御情報が外部記録媒体に格納されているか否かを判別する判別手段(S3~S7)、判別手段の判別結果が否定的であるとき外部記録媒体に格納されたコンテンツを手動操作に従う態様で再生する第１再生手段(S65)、および判別手段の判別結果が肯定的であるとき外部記録媒体に格納されたコンテンツを外部記録媒体に格納された再生制御情報に従う態様で再生する第２再生手段(S51, S85)を備える。
【０００６】
外部記録媒体(48)に格納されたコンテンツを再生するための特定操作が行われると、再生制御情報が外部記録媒体に格納されているか否かが、判別手段によって判別される。第１再生手段は、判別手段の判別結果が否定的であるとき、外部記録媒体に格納されたコンテンツを手動操作に従う態様で再生する。第２再生手段は、判別手段の判別結果が肯定的であるとき、外部記録媒体に格納されたコンテンツを外部記録媒体に格納された再生制御情報に従う態様で再生する。
【０００７】
したがって、再生制御情報を外部記録媒体に準備すれば、外部記録媒体に格納されたコンテンツは、手動操作ではなく、再生制御情報に従う態様で再生される。この結果、展示会などで商品を説明する説明者は、煩わしい操作から解放されることとなる。
【０００８】
また、再生されるコンテンツおよび再生制御情報が共通の外部記録媒体に格納されるため、再生動作の態様を説明者側で決定することができる。これによって、説明者が混乱する事態を回避することができる。
【０００９】
請求項２の発明に従うコンテンツ再生装置は、請求項１に従属し、外部記録媒体に格納された再生制御情報は複数の制御パターンを有し、第２再生手段は複数の制御パターンのいずれか１つに従う再生動作を行う。これによって、制御パターンの数に応じて、説明の内容に多様性を持たせることができる。
【００１０】
請求項３の発明に従うコンテンツ再生装置は、請求項２に従属し、外部記録媒体に格納されたコンテンツは複数の制御パターンの各々に対応する複数の映像コンテンツを含む。
【００１１】
請求項４の発明に従うコンテンツ再生装置は、請求項２または３に従属し、複数の制御パターンは複数のデモンストレーションメニューにそれぞれ対応する。
【００１２】
請求項５の発明に従うコンテンツ再生装置は、請求項２ないし４のいずれかに従属し、制御パターン変更操作を受け付ける受付手段(S13)をさらに備え、第２再生手段は制御パターン変更操作に従う制御パターンに注目する。説明者は、制御パターン変更操作を行うだけで、異なる説明に対応するコンテンツを再生することができる。
【００１３】
請求項６の発明に従うコンテンツ再生プログラムは、コンテンツ再生装置(10)のプロセサ(34)に、外部記録媒体(48)に格納されたコンテンツを再生するための特定操作が行われたとき再生制御情報が外部記録媒体に格納されているか否かを判別する判別ステップ(S3~S7)、判別ステップの判別結果が否定的であるとき外部記録媒体に格納されたコンテンツを手動操作に従う態様で再生する第１再生ステップ(S65)、および判別ステップの判別結果が肯定的であるとき外部記録媒体に格納されたコンテンツを外部記録媒体に格納された再生制御情報に従う態様で再生する第２再生ステップ(S51, S85)を実行させるためのコンテンツ再生プログラムである。
【発明の効果】
【００１４】
この発明によれば、再生制御情報を外部記録媒体に準備すれば、外部記録媒体に格納されたコンテンツは、手動操作ではなく、再生制御情報に従う態様で再生される。この結果、展示会などで商品を説明する説明者は、煩わしい操作から解放されることとなる。また、再生されるコンテンツおよび再生制御情報が共通の外部記録媒体に格納されるため、再生動作の態様を説明者側で決定することができる。これによって、説明者が混乱する事態を回避することができる。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例のテレビジョン受信機１０は、テレビジョン放送信号（高周波信号）を捉えるアンテナ１２を含む。地上波チューナ１４は、アンテナ１２から与えられた高周波信号のうち所望のトランスポンダから出力された高周波信号をベースバンド信号に変換する。デマルチプレクサ１６は、変換されたベースバンド信号をＭＰＥＧデータとＳＩ（SI: Service Information）とに分離し、ＭＰＥＧデータをＡＶデコーダ１８に与える一方、ＳＩをＣＰＵ３４に与える。
【００１７】
ＡＶデータ１８は、デマルチプレクサ１８から出力されたＭＰＥＧデータをデコードし、番組映像データを映像処理回路２６に入力する一方、番組音声データを音声処理回路２０に入力する。
【００１８】
映像処理回路２６は、入力された番組映像データにＣＰＵ３４からの命令に従う映像処理を施し、処理を施された番組映像データを加算器２８を介して映像出力回路３０に与える。映像出力回路３０は、入力された番組映像データをコンポジットビデオ信号にエンコードし、エンコードされたコンポジットビデオ信号をＬＣＤモニタ３２に向けて出力する。この結果、ＴＶ映像がモニタ画面に表示される。
【００１９】
音声処理回路２０もまた、入力された番組音声データにＣＰＵ３４からの命令に従う音声処理を施す。音声出力回路２２は、音声処理回路２０から出力された番組音声データにＤ／Ａ変換を施し、アナログ音声信号をスピーカ２４に向けて出力する。この結果、ＴＶ音声がスピーカ２４から出力される。
【００２０】
映像処理回路２６および音声処理回路２０の処理に関連するモードとしては、スポーツモードがある。スポーツモードは、“野球／サーカー／ゴルフ”，“相撲／格闘技”，“マリンスポーツ”，“ウィンタースポーツ”，“マラソン／その他”の５つの設定項目に区分される。ＣＰＵ３４は、リモコン装置３６によってスポーツモードが選択されたとき、デマルチプレクサ１６から出力されたＳＩに基づいて上述の設定項目のいずれか１つを特定し、特定された設定項目に対応する処理を映像処理回路２６および音声処理回路２０に命令する。ＬＣＤモニタ３２に表示されるＴＶ映像およびスピーカ２４から出力されるＴＶ音声の品質は、設定項目に応じて変化する。
【００２１】
この実施例のテレビジョン受像機１０はまた、カードスロット４６を含む。カードスロット４６に装着されたメモリカード４８は、カードＩ／Ｆ４４によってアクセスされる。メモリカード４８は、デモンストレーション用の特別なメモリカードであり、これに格納された複数のディレクトリ（フォルダ）は、図２に示すような階層構造を有する。
【００２２】
図２によれば、ルートディレクトリ“Ｒｏｏｔ”がファイル“＠ａｕｔｏ＠”およびフィルダ“ＤＣＩＭ”を格納し、フォルダ“ＤＣＩＭ”がフォルダ“Ｄｅｍｏ００１”〜“Ｄｅｍｏ００３”を格納する。
【００２３】
フォルダ“Ｄｅｍｏ００１”は、スクリプトファイル“Ｓｃｒｉｐｔ０１．ｃｍｄ”とＪＰＥＧファイル“ＦＵＮＣ１−１．ｊｐｇ”〜“ＦＵＮＣ１−４．ｊｐｇ”とを格納する。また、フォルダ“Ｄｅｍｏ００２”は、スクリプトファイル“Ｓｃｒｉｐｔ０２．ｃｍｄ”とＪＰＥＧファイル“ＤＴＶ−１．ｊｐｇ”〜“ＤＴＶ−５．ｊｐｇ”とを格納する。
【００２４】
さらに、フォルダ“Ｄｅｍｏ００３”は、スクリプトファイル“Ｓｃｒｉｐｔ０３．ｃｍｄ”とＪＰＥＧファイル“Ｄｅｍｏ００１−１．ｊｐｇ”，“Ｄｅｍｏ００１−２．ｊｐｇ”，“Ｄｅｍｏ００２−１．ｊｐｇ”，“Ｄｅｍｏ００２−２．ｊｐｇ”，“Ｄｅｍｏ００３−１．ｊｐｇ”，“Ｄｅｍｏ００３−２．ｊｐｇ”，“Ｄｅｍｏ００４−１．ｊｐｇ”，“Ｄｅｍｏ００４−２．ｊｐｇ”，“Ｄｅｍｏ００５−１．ｊｐｇ”および“Ｄｅｍｏ００１−２．ｊｐｇ”とを格納する。
【００２５】
フォルダ“Ｄｅｍｏ００１”はテレビジョン受信機１０の機能を紹介するためのデモンストレーションフォルダであり、フォルダ“Ｄｅｍｏ００２”はディジタル放送を紹介するためのデモンストレーションフォルダであり、そしてフォルダ“Ｄｅｍｏ００３”はスポーツモードを紹介するためのデモンストレーションフォルダである。
【００２６】
図３を参照して、ＪＰＥＧファイル“ＦＵＮＣ１−１．ｊｐｇ”は“業界初！「スポーツモード」”をタイトルとするデモンストレーション画像を格納し、ＪＰＥＧファイル“ＦＵＮＣ１−２．ｊｐｇ”は“高輝度液晶パネル”をタイトルとするデモンストレーション画像を格納する。また、ＪＰＥＧファイル“ＦＵＮＣ１−３．ｊｐｇ”は“ＮＥＷ「映像エンジンIII」”をタイトルとするデモンストレーション画像を格納し、ＪＰＥＧファイル“ＦＵＮＣ１−４．ｊｐｇ”は“カードスロット搭載”をタイトルとするデモンストレーション画像を格納する。
【００２７】
図４を参照して、ＪＰＥＧファイル“ＤＴＶ−１．ｊｐｇ”は“アナログ放送からディジタル放送への移行について”をタイトルとするデモンストレーション画像を格納し、ＪＰＥＧファイル“ＤＴＶ−２．ｊｐｇ”は“高画質＆ワイド”をタイトルとするデモンストレーション画像を格納する。また、ＪＰＥＧファイル“ＤＴＶ−３．ｊｐｇ”は“高音質”をタイトルとするデモンストレーション画像を格納し、ＪＰＥＧファイル“ＤＴＶ−４．ｊｐｇ”は“データ放送”をタイトルとするデモンストレーション画像を格納する。
【００２８】
図５を参照して、ＪＰＥＧファイル“Ｄｅｍｏ００１−１．ｊｐｇ”は“野球／サッカー／ゴルフ”の設定項目に従う処理がオフ状態のときの画質を有するデモンストレーション画像を格納し、ＪＰＥＧファイル“Ｄｅｍｏ００１−２．ｊｐｇ”は“野球／サッカー／ゴルフ”の設定項目に従う処理がオン状態のときの画質を有するデモンストレーション画像を格納する。
【００２９】
ＪＰＥＧファイル“Ｄｅｍｏ００２−１．ｊｐｇ”は“相撲／格闘技”の設定項目に従う処理がオフ状態のときの画質を有するデモンストレーション画像を格納し、ＪＰＥＧファイル“Ｄｅｍｏ００２−２．ｊｐｇ”は“相撲／格闘技”の設定項目に従う処理がオン状態のときの画質を有するデモンストレーション画像を格納する。
【００３０】
ＪＰＥＧファイル“Ｄｅｍｏ００３−１．ｊｐｇ”は“マリンスポーツ”の設定項目に従う処理がオフ状態のときの画質を有するデモンストレーション画像を格納し、ＪＰＥＧファイル“Ｄｅｍｏ００３−２．ｊｐｇ”は“マリンスポーツ”の設定項目に従う処理がオン状態のときの画質を有するデモンストレーション画像を格納する。
【００３１】
ＪＰＥＧファイル“Ｄｅｍｏ００４−１．ｊｐｇ”は“ウィンタースポーツ”の設定項目に従う処理がオフ状態のときの画質を有するデモンストレーション画像を格納し、ＪＰＥＧファイル“Ｄｅｍｏ００４−２．ｊｐｇ”は“ウィンタースポーツ”の設定項目に従う処理がオン状態のときの画質を有するデモンストレーション画像を格納する。
【００３２】
ＪＰＥＧファイル“Ｄｅｍｏ００５−１．ｊｐｇ”は“マラソン／その他”の設定項目に従う処理がオフ状態のときの画質を有するデモンストレーション画像を格納し、ＪＰＥＧファイル“Ｄｅｍｏ００５−２．ｊｐｇ”は“マラソン／その他”の設定項目に従う処理がオン状態のときの画質を有するデモンストレーション画像を格納する。
【００３３】
図６を参照して、ファイル“＠ａｕｔｏ＠”には、ヘッダ“＠＠ａｕｔｏｅｘｅｃ＠＠”が記述され、続いてファイルパス“￥ＤＣＩＭ￥Ｄｅｍｏ００１￥Ｓｃｒｉｐｔ０１．ｃｍｄ”，“￥ＤＣＩＭ￥Ｄｅｍｏ００２￥Ｓｃｒｉｐｔ０２．ｃｍｄ”および“￥ＤＣＩＭ￥Ｄｅｍｏ００３￥Ｓｃｒｉｐｔ０３．ｃｍｄ”が記述される。
【００３４】
図７（Ａ）〜図７（Ｃ）を参照して、スクリプトファイル“Ｓｃｒｉｐｔ０１．ｃｍｄ”には１０個のコマンドが記述され、スクリプトファイル“Ｓｃｒｉｐｔ０２．ｃｍｄ”には６個のコマンドが記述され、そしてスクリプトファイル“Ｓｃｒｉｐｔ０３．ｃｍｄ”には３個のコマンドが記述される。各々のファイルに記述された複数のコマンドは、特殊ビューワ処理を実現するためのコマンドであり、先頭から順に実行される。
【００３５】
ここで、“ｓｅｔｐａｔｈ”は、これに続いて記述されたフォルダパスによって特定されるフォルダに注目すべきことを指示するためのコマンドである。“ｓｈｏｗ”は、これに続いて記述されたＪＰＥＧファイルの再生を指示するためのコマンドである。“ｗａｉｔ”は、これに続いて記述された数値が示す時間（秒）の待機を指示するためのコマンドである。“ｅｎｄ”は、ＴＶ映像の表示処理への移行を指示するためのコマンドであり、“ｖｉｅｗｅｒ”は、通常ビューワ処理への移行を指示するためのコマンドである。
【００３６】
“ｌｏｏｐ”は、スライドショールーチンの起動を指示するためコマンドである。起動したスライドショールーチンによって実行されるＪＰＥＧ再生処理は、“ｌｏｏｐ”に続いて記述された数値に対応する回数だけ繰り返される。“ｓｅｔｗａｉｔ”は、スライドショールーチンによって実行されるＪＰＥＧ再生処理のインターバルを指示するためコマンドである。ＪＰＥＧ再生処理は、“ｓｅｔｗａｉｔ”に続いて記述された数値が示す時間（秒）だけ待機される。
【００３７】
なお、“ｓｈｏｗ”，“ｗａｉｔ”，“ｅｎｄ”および“ｖｉｅｗｅｒ”の各々は、スライドショールーチンとは別のルーチンで実行される。
【００３８】
したがって、図７（Ａ）に示すスクリプトファイル“Ｓｃｒｉｐｔ０１．ｃｍｄ”に記述された１０個のコマンドを実行すると、フォルダ“Ｄｅｍｏ００１”が注目され、まずＪＰＥＧファイル“ＦＵＮＣ１−１．ｊｐｇ”がＪＰＥＧ再生処理を施される。
【００３９】
具体的には、このＪＰＥＧファイルに格納された画像データが、カードＩ／Ｆ４４によって読み出され、メモリ制御回路４０を介してＤＲＡＭ４２に書き込まれる。ＤＲＡＭ４２に書き込まれた画像データは、ＯＤＤ表示回路３８によって伸長された後、加算器２８を介して映像出力回路３０に与えられる。映像出力回路３０は、入力された画像データをコンポジットビデオ信号にエンコードし、エンコードされたコンポジットビデオ信号をＬＣＤモニタ３２に向けて出力する。この結果、再生画像がモニタ画面に表示される。
【００４０】
再生画像が表示されてから５秒が経過すると、ＪＰＥＧファイル“ＦＵＮＣ１−２．ｊｐｇ”がＪＰＥＧ再生処理を施され、対応する再生画像が１０秒間にわたってＬＣＤモニタ３２に表示される。その後、ＪＰＥＧファイル“ＦＵＮＣ１−３．ｊｐｇ”および“ＦＵＮＣ１−４．ｊｐｇ”が順にＪＰＥＧ再生処理を施される。いずれの再生画像も、５秒間にわたってＬＣＤモニタ３２に表示され、その後、ＬＣＤモニタ３２の表示がＴＶ映像に切り換えられる。
【００４１】
図７（Ｂ）に示すスクリプトファイル“Ｓｃｒｉｐｔ０２．ｃｍｄ”に記述された６個のコマンドを実行すると、フォルダ“Ｄｅｍｏ００２”が注目され、これに含まれるＪＰＥＧファイル“ＤＴＶ−１．ｊｐｇ”〜“ＤＴＶ−３．ｊｐｇ”がスライドショールーチンによって順にＪＰＥＧ再生処理を施される。再生画像は、５秒ずつＬＣＤモニタ３２に表示される。続いて、ＪＰＥＧファイル“ＤＴＶ−４．ｊｐｇ”がＪＰＥＧ再生処理を施され、再生画像は１２０秒にわたってＬＣＤモニタ３２に表示される。１２０秒が経過すると、通常ビューワ処理に移行する。通常ビューワ処理に移行すると、手動操作に応答してＪＰＥＧファイル再生処理が実行される。
【００４２】
図７（Ｃ）に示すスクリプトファイル“Ｓｃｒｉｐｔ０３．ｃｍｄ”に記述された３個のコマンドを実行すると、フォルダ“Ｄｅｍｏ００３”が注目され、これに含まれる全てのＪＰＥＧファイルがスライドショールーチンによって順にＪＰＥＧ再生処理を施される。再生画像は、５秒ずつＬＣＤモニタ３２に表示される。
【００４３】
ＣＰＵ３０は、図８〜図１２に示すビューワタスクを含む複数のタスクを並列的に実行する。なお、これらのタスクに対応する制御プログラムは、フラッシュメモリ４６に記憶される。
【００４４】
まずステップＳ１で、リモコン装置３４によるビューワ操作が行われたか否かを判別する。この判別結果がＹＥＳであれば、ファイル“＠ａｕｔｏ＠”がメモリカード４４に存在するか否かをステップＳ３で判別し、“＠＠ａｕｔｏｅｘｅｃ＠＠”の記述がファイル“＠ａｕｔｏ＠”に存在するか否かをステップＳ５で判別し、そして“ｃｍｄ”の拡張子を有する記述がファイル“＠ａｕｔｏ＠”に存在するか否かをステップＳ７で判別する。
【００４５】
ステップＳ３，Ｓ５およびＳ７のいずれか１つでもＮＯであれば、通常ビューワ処理を実行するべく、ステップＳ５５に移行する。ステップＳ３，Ｓ５および７の全てでＹＥＳであれば、ステップＳ９以降で特殊ビューワ処理を実行する。
【００４６】
ステップＳ９では、ｃｍｄの拡張子を有する複数の記述がファイル“＠ａｕｔｏ＠”に存在するか否かを判別する。ここでＹＥＳであればステップＳ１１に進み、加算器２６およびＯＳＤ表示回路３２を制御してデモンストレーションメニューをＬＣＤモニタに表示する。モニタ画面上には、上述の３つのデモンストレーションフォルダ“ＤＥＭＯ００１”〜“ＤＥＭＯ００３”にそれぞれ対応する３つのメニュー項目が表示される。
【００４７】
ステップＳ１３では、表示されたメニュー項目のいずれか１つを選択する選択操作がリモコン装置３４によって行われたか否かを判別する。ここでＹＥＳであれば、選択されたメニュー項目に対応するデモンストレーションフォルダを再生するべく、ステップＳ１５に進む。
【００４８】
なお、ステップＳ９でＮＯであれば、メモリカード４４に存在するデモンストレーションフォルダは１つであるとみなし、このデモンストレーションフォルダをステップＳ１５以降で再生する。
【００４９】
ステップＳ１５では、注目するデモンストレーションフォルダからスクリプトファイルを読み出すべく、カードＩ／Ｆ４０に対応する読み出し処理を命令する。ステップＳ１７ではスクリプトファイルの読み出しに成功したか否かを判別し、ＹＥＳであればステップＳ１９に進む一方、ＮＯであれば通常ビューワ処理に移行する。読み出しに成功した場合、スクリプトファイルは、メモリ制御回路３６を通してＤＲＡＭ３８に格納される。
【００５０】
ステップＳ１９では注目するスクリプトファイルに記述されたコマンドの数を検出し、続くステップＳ２１では検出された数を最大値Ｃｍａｘに設定する。ステップＳ２３では、変数Ｃを“１”に設定する。ステップＳ２５ではリモコン装置３４によってキャンセル操作が行われたか否かを判別し、ＮＯであればステップＳ２７に進む一方、ＹＥＳであれば通常ビューワ処理に移行する。
【００５１】
ステップＳ２７では変数Ｃに対応するコマンドが“ｅｎｄ”であるか否かを判別し、ステップＳ２９では変数Ｃが最大値Ｃｍａｘを上回るか否かを判別する。ステップＳ２７またはＳ２９でＹＥＳと判断されるとステップＳ３１に進み、加算器２８およびＯＳＤ表示回路３８を制御してＴＶ映像をＬＣＤモニタに表示する。ステップＳ３１の処理が完了すると、ステップＳ１に戻る。
【００５２】
ステップＳ２７およびＳ２９のいずれもＮＯと判断されると、変数Ｃに対応するコマンドをステップＳ３３，Ｓ３７，Ｓ４１，Ｓ４５，Ｓ４９およびＳ５３の各々で判別する。注目するコマンドが“ｓｅｔｐａｈ”であればステップＳ３３からステップＳ３５に進み、“ｓｅｔｐａｔｈ”に続いて記述されたフォルダパスをレジスタ３４ｒに設定する。注目するコマンドが“ｓｅｔｗａｉｔ”であればステップＳ３７からステップＳ３９に進み、“ｓｅｔｗａｉｔ”に続いて記述された数値を待機時間（秒）としてレジスタ３４ｒに設定する。
【００５３】
注目するコマンドが“ｌｏｏｐ”であればステップＳ４１からステップＳ４３に進み、図１２に示すスライドショールーチンに従う処理を実行する。注目するコマンドが“ｗａｉｔ”であれば、ステップＳ４５からステップＳ４７に進み、“ｗａｉｔ”に続いて記述された数値が示す時間（秒）だけ待機する。注目するコマンドが“ｓｈｏｗ”であればステップＳ４９からステップＳ５１に進み、“ｓｈｏｗ”に続いて記述されたＪＰＥＧファイルにＪＰＥＧ再生処理を施す。注目するコマンドが“ｖｉｅｗｅｒ”であれば、ステップＳ５３でＹＥＳと判断し、通常ビューワ処理に移行する。
【００５４】
ステップＳ３５，Ｓ３９，Ｓ４３，Ｓ４７またはＳ５１の処理が完了すると、ステップＳ５５で変数Ｃをインクリメントし、ステップＳ２５に戻る。ステップＳ５３でＮＯと判断されたときも、ステップＳ５５で変数Ｃをインクリメントし、ステップＳ２５に戻る。
【００５５】
通常ビューワ処理に関して、図１１に示すステップＳ５７ではＯＳＤ表示回路３８および加算器２８を制御して通常メニューをＬＣＤモニタ３２に表示する。
【００５６】
ステップＳ５９では選択操作が行われたか否かを判別し、ステップＳ６１では終了操作が行われたか否かを判別する。終了操作が行われたときはステップＳ６１からステップＳ６３に進み、加算器２６を制御してＴＶ映像をＬＣＤモニタに表示する。ステップＳ６３の処理が完了すると、ステップＳ１に戻る。
【００５７】
選択操作が行われたときはステップＳ５９からステップＳ６５に進み、選択されたメニュー項目に対応するフォルダに格納されたＪＰＥＧファイルを指定する。ステップＳ６７では、指定されたＪＰＥＧファイルにＪＰＥＧファイル再生処理を施す。この結果、再生画像がＬＣＤモニタ３２に表示される。
【００５８】
ＪＰＥＧファイル再生処理が完了すると、更新操作が行われたか否かをステップＳ６９で判別し、終了操作が行われたか否かをステップＳ７１で判別する。更新操作が行われたときはステップＳ６９でＹＥＳと判断し、ステップＳ７５でＪＰＥＧファイルの指定を更新してからステップＳ６７に戻る。この結果、再生画像が更新される。
【００５９】
終了操作が行われたときはステップＳ７１からステップＳ７３に進み、加算器２８およびＯＳＤ表示回路３８を制御してＴＶ映像をＬＣＤモニタ３２に表示する。ステップＳ７１の処理が完了すると、ステップＳ１に戻る。
【００６０】
図１２に示すスライドショールーチンを参照して、ステップＳ８１では注目するコマンドである“ｌｏｏｐ”に続いて記述された数値を最大値Ｌｍａｘとして決定する。ステップＳ８３では変数Ｌを“１”に設定し、続くステップＳ８５では変数Ｌに対応するＪＰＥＧファイルにＪＰＥＧファイル再生処理を施す。この結果、再生画像がＬＣＤモニタに表示される。
【００６１】
ステップＳ８７ではレジスタ３４ｒに設定された待機時間だけ待機し、ステップＳ８９では変数Ｌが最大値Ｌｍａｘに達したか否かを判別する。ここでＮＯであれば、ステップＳ９１で変数ＬをインクリメントしてからステップＳ８５に戻る。ＹＥＳであれば、上階層のルーチンに復帰する。
【００６２】
以上の説明から分かるように、メモリカード４８に格納されたＪＰＥＧファイル（コンテンツ）を再生するためのビューワ操作（特定操作）が行われると、スクリプトファイル（再生制御情報）がメモリカード４８に格納されているか否かが、ＣＰＵ３４によって判別される（Ｓ３〜Ｓ７）。ＣＰＵ３４は、この判別結果が否定的であるとき、メモリカード４８に格納されたＪＰＥＧファイルを操作者の手動操作に従う態様で再生する（Ｓ６５）。ＣＰＵ３４はまた、判別結果が肯定的であるとき、メモリカード４８に格納されたＪＰＥＧファイルをメモリカード４８に格納されたスクリプトファイルの記述に従う態様で再生する。
【００６３】
したがって、スクリプトファイルをメモリカード４８に準備すれば、メモリカード４８に格納されたＪＰＥＧファイルは、手動操作ではなくスクリプトファイルの記述に従う態様で再生される。この結果、展示会などで商品を説明する説明者は、煩わしい操作から解放されることとなる。
【００６４】
また、ＪＰＥＧファイルおよびスクリプトファイルが共通のメモリカード４８に格納されるため、再生動作の態様を説明者側で決定することができる。これによって、説明者が混乱する事態を回避することができる。
【００６５】
さらに、複数のスクリプトファイルをメモリカード４８に準備できるため、スクリプトファイルの数に応じて説明の内容に多様性を持たせることができる。
【００６６】
なお、この実施例では、テレビジョン受信機の紹介を想定しているが、紹介する装置とメモリカードが装着される装置とが異なってもよいことは言うまでもない。
【図面の簡単な説明】
【００６７】
【図１】この発明の一実施例の構成を示すブロック図である。
【図２】図１実施例に適用されるメモリカードに形成されたディレクトリ構造の一例を示す図解図である。
【図３】機能を紹介するデモンストレーションフォルダに格納されたファイルの一例を示す図解図である。
【図４】ディジタル放送を紹介するデモンストレーションフォルダに格納されたファイルの一例を示す図解図である。
【図５】スポーツモードを紹介するためのデモンストレーションフォルダに格納されたファイルの一例を示す図解図である。
【図６】＠ａｕｔｏ＠ファイルの構造の一例を示す図解図である。
【図７】（Ａ）は＠ａｕｔｏ＠ファイルに格納されたＳｃｒｉｐｔ０１．ｃｍｄファイルの一例を示す図解図であり、（Ｂ）は＠ａｕｔｏ＠ファイルに格納されたＳｃｒｉｐｔ０２．ｃｍｄファイルの一例を示す図解図であり、（Ｃ）は＠ａｕｔｏ＠ファイルに格納されたＳｃｒｉｐｔ０３．ｃｍｄファイルの一例を示す図解図である。
【図８】図１実施例に適用されるＣＰＵの動作の一部を示すフロー図である。
【図９】図１実施例に適用されるＣＰＵの動作の他の一部を示すフロー図である。
【図１０】図１実施例に適用されるＣＰＵの動作のその他の一部を示すフロー図である。
【図１１】図１実施例に適用されるＣＰＵの動作のさらにその他の一部を示すフロー図である。
【図１２】図１実施例に適用されるＣＰＵの動作の他の一部を示すフロー図である。
【符号の説明】
【００６８】
１０  …テレビジョン受像機
３４  …ＣＰＵ
２６  …映像処理回路
３０  …映像出力回路
３８  …ＯＳＤ表示回路
４８  …メモリカード
【図１】
2007060335.tif 000003
【図２】
2007060335.tif 000004
【図３】
2007060335.tif 000005
【図４】
2007060335.tif 000006
【図５】
2007060335.tif 000007
【図６】
2007060335.tif 000008
【図７】
2007060335.tif 000009
【図８】
2007060335.tif 000010
【図９】
2007060335.tif 000011
【図１０】
2007060335.tif 000012
【図１１】
2007060335.tif 000013
【図１２】
2007060335.tif 000014